(57)【要約】【課題】  ボタン電話装置における親機と子機から構成されるコードレス電話機において、親機が接続されている主装置に収容されている回線の使用状況を子機に表示していないため、発信操作時に、着信中や他者保留中の回線に不用意に応答してしまう。【解決手段】  ボタン電話機親機１とコードレス式ボタン電話機子機３の間を無線通信で接続したコードレス式ボタン電話機を含むコードレス式ボタン電話装置であって、コードレス式ボタン電話機子機３に、回線使用状況を記憶する回線情報記憶回路と、回線使用状況を表示する機能を有する回線選択ボタンを設け、コードレス式ボタン電話親機１に回線使用状況を記憶する回線情報記憶回路と、コードレス式ボタン電話機子機３が選択した回線の使用状況が着信中または他者保留中もしくは通話中のときに当該回線の捕捉を行わない働きをする制御手段を設けた。【選択図】      図１
2006081027.tif 000002
【特許請求の範囲】
【請求項１】
ボタン電話機親機とボタン電話機子機の間を無線通信で接続したコードレス式ボタン電話機を含むボタン電話装置であって、
コードレス式ボタン電話機子機が選択した回線の使用状況が着信中または他者保留中もしくは通話中の場合、当該回線の捕捉を行わない働きをする制御手段を設けた
ことを特徴とするコードレス式ボタン電話装置。
【請求項２】
請求項１記載のコードレス式ボタン電話装置において、
コードレス式ボタン電話機子機に、回線使用状況を記憶する回線情報記憶回路と、回線使用状況を表示する機能を有する表示器と、回線を選択操作するための回線選択ボタンを設け、
ボタン電話機親機が回線使用状況をコードレス式ボタン電話機子機に通知し、コードレス式ボタン電話子機が回線使用状況を回線情報記憶回路に記憶するとともに、前記表示器に当該回線の回線使用状況を表示するようにしたことを特徴とするコードレス式ボタン電話装置。
【請求項３】
請求項２記載のコードレス式ボタン電話装置において、
コードレス式ボタン電話機子機が回線使用状況を表示している状態で、前記コードレス式ボタン電話機子機が着信中または他者保留中の回線を選択した場合は、当該回線の捕捉を行うことを特徴とするコードレス式ボタン電話装置。
【発明の詳細な説明】
【技術分野】
【０００１】
本発明は、ボタン電話装置における主装置と親機および子機から構成されるコードレス電話機に関し、コードレス式ボタン電話機子機の回線使用状態の表示制御および回線捕捉制御に関する。
【背景技術】
【０００２】
従来からボタン電話装置における親機とコードレス子機から構成されるコードレス電話機においては、親機が接続されている主装置に収容されている回線の使用状況が子機に示されないことから、子機ではどの回線が使用可能であるかを知ることができなかった（例えば、特許文献１参照）。
【０００３】
また、回線の使用状況がわからない場合に、子機で発信しようとして任意の回線を選択すると、選択した回線が使用中であれば回線選択が無効となるが、着信中であったり、他の使用者が保留中であった場合には、その回線に応答してしまい、発信する回線を捕捉することができないばかりでなく、混乱を生じる原因ともなっていた（例えば、特許文献１参照）。
【０００４】
すなわち、子機で着信中の回線を選択した場合、その回線に応答してしまい、発信するために回線を選択した場合には、不要な電話に出なければならず、使用者に不便を感じさせていた。さらに、他者が保留中の回線を選択した場合には、その回線に応答してしまい、不要な電話に応対しなければならず、さらに保留していた使用者や保留されていた使用者にも不快感を与えるという問題があった。
【特許文献１】特開平７−３２２３１７号公報
【発明の開示】
【発明が解決しようとする課題】
【０００５】
本発明は、ボタン電話装置における親機と子機から構成されるコードレス電話機において、子機で発信する際、着信中や保留中の回線に応答してしまうことを回避するとともに、親機が接続されている主装置に収容されている回線の使用状況を子機に表示し、回線を再選択する際間違いなく所望の回線を選択できるようにすることを目的とする。
【課題を解決するための手段】
【０００６】
上記課題を解決するために、本発明は、コードレス電話機の親機に回線使用状況を判断する機能を付加し、子機で選択した回線が着信中の場合に、その回線に応答しないように制御するようにした。
【０００７】
また、本発明は、上記のコードレス電話機において、子機が選択した回線が、他者が保留した回線である場合に、その回線に応答しないように制御するようにした。
【０００８】
さらに、本発明は、上記のコードレス電話機において、回線が着信中や保留中の状況のときに、子機に回線使用状況を表示するようにし、その状況から着信中の回線や保留中の回線を選択した場合には、それに応答できるように制御するようにした。
【０００９】
すなわち、本発明は、ボタン電話機親機とコードレス式ボタン電話機子機の間を無線通信で接続したコードレス式ボタン電話機を含むコードレス式ボタン電話装置であって、ボタン電話機親機に回線使用状況を記憶する回線情報記憶回路と、コードレス式ボタン電話機子機が選択した回線の使用状況が着信中または他者保留中もしくは通話中のときに当該回線の捕捉を行わない働きをする制御手段を設けた。
【００１０】
本発明は、上記コードレス式ボタン電話装置において、コードレス式ボタン電話機子機に、回線使用状況を記憶する回線情報記憶回路と、回線使用状況を表示する機能を有する回線選択ボタンを設け、コードレスボタン電話機子機がボタン電話機親機を介して外線または内線に発信する際、所望の回線を捕捉できたか否かにかかわらず、ボタン電話機親機が回線使用状況をボタン電話機子機に通知し、ボタン電話機子機が回線使用状況を回線情報記憶回路に記憶するとともに、回線選択ボタンに当該回線の回線使用状況を表示するようにした。
【００１１】
さらに、本発明は、上記コードレス式ボタン電話装置において、コードレス式ボタン電話機子機が回線使用状況を表示している状態で、前記コードレス式ボタン電話機子機が着信中または他者保留中の回線を選択した場合は、当該回線の捕捉を行うようにした。
【００１２】
本発明は、上記ボタン電話機親機において、更新された回線使用状況をコードレス式ボタン電話機子機に通知するようにした。
【００１３】
本発明は、上記コードレス式ボタン電話機子機において、回線使用状況を記憶する回線情報記憶回路と、回線使用状況を表示する機能を有する表示器と複数の回線から一つの回線を選択操作するための回線選択ボタンを有するようにした。
【００１４】
本発明は、上記コードレス式ボタン電話機子機において、更新された回線使用状況を回線情報記憶回路に記憶するとともに、回線選択ボタンに回線使用状況を表示するようにした。
【発明の効果】
【００１５】
上記のように構成することによって、本発明は、コードレス電話機の子機で発信しようとして回線を選択したときに、不要な着信に応答してしまうことを回避することができる。同様に、コードレス電話機の子機で発信しようとして回線を選択したときに、不用意に他者が保留した回線に応答してしまうことを回避することができる。
【発明を実施するための最良の形態】
【００１６】
以下、本発明の実施の形態を、図面を用いて説明する。図１を用いて本発明にかかるコードレス電話機を用いたボタン電話装置の全体構成を説明する。このボタン電話装置は、主に事業所などで使用されるボタン電話装置の内線に接続されるコードレス式のボタン電話機である。親機に回線使用状態を管理する制御部があり、子機に回線状態を表示する部分を持つことにより、親機から子機への回線使用状況を送信する制御を行うことができる。
【００１７】
すなわち、本発明のボタン電話装置は、ボタン電話主装置に接続されたコードレス式ボタン電話機親機１と、コードレス式ボタン電話機子機３−１〜３ｎと、ボタン電話主装置５に接続された有線式ボタン電話機７と、複数の外線に接続されたボタン電話主装置５とから構成される。子機３は、待機時にはそれぞれ充電器４に搭載される。有線式ボタン電話機７にはカールコードを介して送受話器７１が接続される。なお、図１では、有線式ボタン電話機７を含めた一般的な構成としているが、前記有線式ボタン電話機７が１台もない構成、すなわち、全てコードレス式のボタン電話機とすることも可能である。
【００１８】
コードレス式ボタン電話機子機３の外観構成の例を、図２を用いて説明する。コードレス式ボタン電話機子機は、一般のコードレス電話機の子機と同様に送受話器の機能のほかに発信および着信応答が可能なダイヤルボタンおよび各種機能ボタンなどのほかに、回線使用状況表示器付回線選択ボタンを持っている。親機１に回線使用状態を管理する制御部があり、子機３に回線状態を表示する部分を持つことにより、親機１から子機３へ回線使用状況を通知するとともに、子機３と回線との接続制御を行うことができる。
【００１９】
コードレス式ボタン電話機子機３は、アンテナＡ３４と、受話器Ａ３３１Ｒと、表示器Ａ３７と、回線使用状況表示器付き回線選択ボタンＡ３８１と、通話ボタン等の機能ボタンＡ３８２と、テンキーボタンＡ３８３と、送話器Ａ３３１Ｍが配置されている。
【００２０】
コードレス式ボタン電話機親機１の機能構成の例を、図３を用いて説明する。コードレス式ボタン電話機親機１は、制御回路１１と、無線通信回路１２と、回線インタフェース回路１３と、アンテナ１４と、回線情報記憶回路１５と、電源回路１６を有して構成される。
【００２１】
制御回路１１は、親機１の各回路からの入力情報（子機３からの情報も含む）に対する解析や判断ならびに回線情報記憶回路１５に対する情報の入出力および各回路の制御を行う手段である。
【００２２】
無線通信回路１２は、子機３との間でアンテナ１４を経由して無線通信を行う手段である。
【００２３】
回線インタフェース回路１３は、ボタン電話装置の内線回路に接続されるインタフェース回路であり、親機とボタン電話主装置が一体となる場合には、一般公衆回線、ＩＰ電話事業者の回線、専用線、私設線、携帯電話等の無線使用回線（無線／有線変換アダプタ使用）、等との接続機能も含まれる。
【００２４】
情報記憶回路１５は、回線使用状況を記憶する手段であり、例えば、制御回路１１内に設けることもできる。
【００２５】
電源回路１６は、主装置から供給される電源、商用電源等から親機１を動作させる電源に変換する回路である。
【００２６】
この実施例では、親機１は送受話器を有さないボタン電話機親機として説明するが、通常のボタン電話機親機と同様に自体がカールコードで接続された送受話器を有するとともにコードレス式ボタン電話機子機３に対する無線通信手段を備えたものとしてもよい。この場合には、上記の要素のほかに、回線インタフェース回路１３からの音声情報や無線通信回路１２を経由した子機からの音声情報などを、それぞれ子機３や回線インタフェース回路１３に接続したり、前述の送受話器やスピーカに接続したりするスピーチ回路、および、ダイヤルボタンや機能ボタンなどの各種情報を入力する入力回路、回線使用状況および電話番号や通話時間などを表示する表示回路を備えればよい。
【００２７】
図４を用いて、コードレス式ボタン電話機子機３の機能構成の概要を説明する。子機３は、制御回路３１と、無線通信回路３２、送受話器３３１、スピーカ３３２、アンテナ３４、スピーチ回路３５、回線情報記憶回路３６、表示回路３７、入力回路３８、受電端子３９１、電池３９２、電源回路３９３を備えて構成される。
【００２８】
制御回路３１は、子機３の各回路からの入力情報（親機１からの情報も含む）に対する解析や判断、回線情報記憶回路３６に対する情報の入出力、および各回路の制御を行う手段である。
【００２９】
無線通信回路３２は、親機１との間でアンテナ３４を経由して無線交信を行う手段である。
【００３０】
送受話器３３１は、子機にて通話を行う手段であり、スピーカ３３２は、着信音を鳴動させたり他の音を聞かせるための手段ある。
【００３１】
スピーチ回路３５は、無線通信回路３２を経由した親機からの音声情報等を、送受話器３３１、およびスピーカ３３２に接続する手段である。
【００３２】
回線情報記憶回路３６は、親機１から通知される回線使用状況を記憶する手段であり、制御回路３１内に設けることもできる。
【００３３】
表示回路３７は、電話番号や通話時間などを表示するＬＣＤや回線使用状況を表示するＬＥＤ等を駆動する手段である。
【００３４】
入力回路３８は、ダイヤルボタンや機能ボタン、回線選択ボタンなどの各種情報を入力する手段である。
【００３５】
受電端子３９１は、親機に備えた充電端子または充電器４から電力を受けて電池３９２を充電し、電源回路３９３で子機の動作に適した電源に変換して子機３内の各部に電力を供給する手段である。
【００３６】
図５−１、図５−２を用いて、本発明にかかる発信制御方法の流れを説明する。ボタン電話主装置５は、回線使用状況を常時親機１へ送信する（Ｓ５２）。
【００３７】
ボタン電話機親機１は、ボタン電話主装置５からの回線使用状況の情報を常時受信し（Ｓ２）、回線使用状況を回線情報記憶回路１５に記憶する（Ｓ３）。
【００３８】
ボタン電話機子機３は、待機時、回線使用表示がＯＦＦの状態（Ｓ３１）で、回線選択ボタンＡ３８１のいずれかを押下して回線選択操作をする（Ｓ３２）と、回線選択情報を親機１へ送信する（Ｓ３３）。
【００３９】
ボタン電話機親機１は、子機３からの回線選択情報を受信する（Ｓ４）と、子機３が選択した回線の使用状況を回線情報記憶回路１５を参照して検索する（Ｓ５）。当該回線の使用状況が、着信中または他者による保留中もしくは通話中であるか否かを判定して（Ｓ６）、そのいずれかでもない場合にはステップＳ１２に移行し、そのいずれかである場合回線選択不可の情報を子機３へ送信する（Ｓ７）。さらに回線使用状況を子機３へ送信する（Ｓ８）。その後回線使用状況の子機表示有効タイマをスタートさせ（Ｓ９）、有効タイムアウトしたかを判定する（Ｓ１０）。有効タイムアウトしたとき、ステップＳ２に戻る。
【００４０】
ボタン電話機子機３は、スッテプ７の回線選択不可情報を受信すると（Ｓ３４）、回線選択が不可であるかどうかを判断し（Ｓ３５）、回線選択が不可でないときにはステップＳ４３へ移行し、回線選択が不可であるときには回線選択不可の表示を表示回路３７に表示して（Ｓ３６）、親機１からの回線使用状況情報の受信を待つ。親機からステップＳ８で送られてきた回線使用状況の情報を受信すると（Ｓ３７）、回線使用状況を回線選択ボタンＡ３８１の表示器または表示器Ａ３７により表示すると供に、表示タイマをスタートさせる（Ｓ３８）。表示タイマがタイムアウトするかを監視し（Ｓ３９）、タイムアウトすると回線使用状況表示をＯＦＦにしてステップ３２へ戻り、タイムアウトしないときには回線選択ボタンを押下して（Ｓ４１）、回線選択情報を親機１へ送信する（Ｓ４２）る。
【００４１】
ボタン電話機親機１は、ステップＳ１０で有効タイムアウトしていないときには、子機からの情報を受信し（Ｓ１１）、回線捕捉信号または保留解除信号を主装置５へ送信し（Ｓ１２）、回線使用状況を子機３に送信する（Ｓ１３）。
【００４２】
親機１からの情報を受信した（Ｓ５３）ボタン電話主装置５は、回線捕捉または保留解除の処理を実行し（Ｓ５４）、回線使用状況を更新して親機１へ送信する（Ｓ５５）。
【００４３】
親機１からの回線使用状況を受信した（Ｓ４３）ボタン電話機子機３は、回線使用状況を更新して表示部Ａ３７に表示する（Ｓ４４）。
【００４４】
主装置５から更新された回線使用状況の情報を受信した（Ｓ１４）ボタン電話機親機１は、回線使用状況を回線情報記憶回路１５に記憶し（Ｓ１５）、更新された回線使用状況を子機３へ送信する（Ｓ１６）。
【００４５】
親機１から更新された回線使用状況の情報を受けた（Ｓ４５）ボタン電話機子機３は、回線使用状況を更新して表示する（Ｓ４６）。
【００４６】
ボタン電話主装置５がステップＳ５４で回線を捕捉するか保留を解除すると、ボタン電話機子機３はボタン電話機親機１を経由して外線にダイヤルが可能となり、もしくは通話が可能となる（Ｓ６０）。
【００４７】
この説明では、ボタン電話機親機１がボタン電話主装置５から受信して記憶した回線使用状況を用いて、ボタン電話機子機３に対し回線捕捉が可能か否かの判定を行っているが、子機３の回線捕捉信号を親機１がそのまま主装置５に送信し、同様な判定（あき、着信中、使用中、他者保留中、自身保留中等の判定）を主装置で行うことでも同じ制御が可能となる。
【図面の簡単な説明】
【００４８】
【図１】本発明が適用されるボタン電話装置の構成の概要を説明する図
【図２】本発明にかかるボタン電話機子機の外観構成を説明する図
【図３】本発明にかかるボタン電話機親機の機能の構成の概要を説明するブロック図
【図４】本発明にかかるボタン電話機子機の機能の構成の概要を説明するブロック図
【図５−１】本発明にかかる発信制御方法の処理の流れを説明するフローチャート(その１)
【図５−２】本発明にかかる発信制御方法の処理の流れを説明するフローチャート(その２)
【符号の説明】
【００４９】
１：ボタン電話機親機、３：コードレス式ボタン電話機子機、４：充電器、５：ボタン電話主装置、７：有線式ボタン電話機、１１：制御回路、１２：無線通信回路、１３：回線インタフェース回路、１４：アンテナ、１５：回線情報記憶回路、１６：電源回路、３１：制御回路、３２：無線通信回路、３４：アンテナ、３５：スピーチ回路、３６：回線情報記憶回路、３７：表示回路、３８：入力回路、３３１、Ａ３３１Ｍ：送話器、送受話器、３３２：スピーカ、３９１：受電端子、３９２：電池、３９３：電源回路、Ａ３３１Ｒ：受話器、Ａ３４：アンテナ、Ａ３７：表示器、Ａ３８１：回線使用状況表示器付回線選択ボタン、Ａ３８２：機能ボタン、Ａ３８３：ダイヤルボタン
【図１】
2006081027.tif 000003
【図２】
2006081027.tif 000004
【図３】
2006081027.tif 000005
【図４】
2006081027.tif 000006
【図５−１】
2006081027.tif 000007
【図５−２】
2006081027.tif 000008